(57)【特許請求の範囲】
【請求項１】
基板にクッション材を重ねて表皮材で覆うと共に前記表皮材の周縁を前記基板の裏側に回り込ませた身体支持体を有する椅子において、前記基板は着座者の身体を支える支持板部と、前記支持板部の周囲に設けられ且つ前記基板の裏側に曲げられた曲げ部分とを有しており、前記基板の支持板部の周縁近傍に切り欠きを形成して設けられ、前記支持板部の厚さ内に収まり、前記基板の曲げ部分を越えて裏側に回り込まされた前記表皮材の周縁が引っ掛けられる引掛片を備え、前記引掛片の奥側の面には前記表皮材の周縁を絞る紐状部材が引っ掛かる凸部が設けられていることを特徴とする椅子の表皮材の留め構造。
【請求項２】
前記支持板部の前記切り欠きの両脇には、前記表皮材の周縁を前記引掛片の奥側に導く傾斜面が形成されていることを特徴とする請求項１記載の椅子の表皮材の留め構造。
【発明の詳細な説明】
【技術分野】
【０００１】
本発明は、椅子の表皮材の留め構造に関する。更に詳しくは、本発明は、基板にクッション材を重ねて表皮材で覆い、表皮材の周縁を基板の裏側に回り込ませて留める身体支持体を有している椅子の表皮材の留め構造に関するものである。
【背景技術】
【０００２】
図５に椅子の座の表皮材の留め構造を示す。この構造では、表皮材１０１の周縁を座の裏側に回り込ませて紐１０２で絞り、結束具１０３によって紐１０２の両端を外れないように留めている。表皮材１０１の周縁にはループ部１０４が形成されており、ループ部１０４に通した紐１０２を絞って表皮材１０１の周縁をつぼめ、基板１０５や図示しないクッション材から表皮材１０１が外れないようにしている。
【０００３】
【特許文献１】特開平１０−７１０５７号
【発明の開示】
【発明が解決しようとする課題】
【０００４】
しかしながら、上記の座の表皮材の留め構造では、表皮材１０１の周縁を紐１０２で絞ってつぼめることで基板１０５やクッション材からの外れを防止しているので、椅子の使用によって表皮材１０１が基板１０５やクッション材に対してずれたり回転したりすることがある。
【０００５】
また、座の下側（裏側）を座裏カバーで覆うことがあり、この場合には、基板１０５の周縁を下側に向けて曲げると共にその曲げ部分の内側に座裏カバーの周縁を差し込んで取り付けることが行われる。基板１０５の周縁が下側に向けて曲げられている場合に表皮材１０１の周縁を基板１０５の裏側に回り込ませてつぼめると、表皮材１０１の周縁は基板１０５の裏面から浮いた状態でつぼめられることになる。このため、座裏カバーの周壁を基板１０５の曲げ部分に深く差し込むことができず、座裏カバーの取り付けが困難になったり、たとえ取り付けることができたとしても取り付けた状態の座と座裏カバーの上下方向の厚みが厚くなってしまい、椅子の見た目を悪化させてしまう。
【０００６】
本発明は、表皮材を基板に簡単に係止することができると共に、基板に曲げ部分が設けられている場合であっても表皮材の周縁の基板からの浮き上がりを防止することができる椅子の表皮材の留め構造を提供することを目的とする。
【課題を解決するための手段】
【０００７】
かかる目的を達成するために請求項１記載の椅子の表皮材の留め構造は、基板にクッション材を重ねて表皮材で覆うと共に表皮材の周縁を基板の裏側に回り込ませた身体支持体を有する椅子において、基板は着座者の身体を支える支持板部と、支持板部の周囲に設けられ且つ基板の裏側に曲げられた曲げ部分とを有しており、基板の支持板部の周縁近傍に切り欠きを形成して設けられ、支持板部の厚さ内に収まり、基板の曲げ部分を越えて裏側に回り込まされた表皮材の周縁が引っ掛けられる引掛片を備え、引掛片の奥側の面には表皮材の周縁を絞る紐状部材が引っ掛かる凸部が設けられているものである。したがって、表皮材の周縁は引掛片に引っ掛けられて係止される。引掛片は、この引掛片が形成されている支持板部の厚さ内に収まっており、支持板部から突出していないので、表皮材の周縁の支持板部からの浮き上がりが防止される。
【０００８】
また、引掛片の奥側の面には表皮材の周縁を絞る紐状部材が引っ掛かる凸部が設けられているので、表皮材の周縁を引掛片の奥側に差し込んで引っ掛けると、表皮材の周縁を絞っている紐状部材が凸部に引っ掛かる。
【０００９】
さらに、請求項２記載の椅子の表皮材の留め構造は、支持板部の切り欠きの両脇には、表皮材の周縁を引掛片の奥側に導く傾斜面が形成されているものである。したがって、表皮材の周縁を引掛片の奥側に差し込んで引っ掛ける際に、表皮材を無理に曲げる必要がなくなる。
【発明の効果】
【００１０】
請求項１記載の椅子の表皮材の留め構造では、表皮材の周縁を基板の支持板部に係止することができる。そのため、椅子の使用によって基板及びクッション材に対して表皮材がずれたり回転したりするのを防止することができる。また、基板の縁部を裏側に曲げても、表皮材の周縁の支持板部からの浮き上がりを防止することができる。そのため、基板の裏側をカバーで覆う構成のときでも、カバーの周壁を基板の縁部の曲げ部分に深く差し込むことができ、カバーの取り付けを確実に行うことができると共に、取り付けた状態の身体支持体とカバーの取付方向の厚みを薄くすることができ、椅子の見た目の悪化を防止することができる。
【００１１】
また、請求項１記載の椅子の表皮材の留め構造では、引掛片の奥側の面には表皮材の周縁を絞る紐状部材が引っ掛かる凸部が設けられているので、表皮材の周縁を引掛片からより一層外れ難くすることができる。
【００１２】
さらに、請求項２記載の椅子の表皮材の留め構造では、表皮材の周縁を引掛片にスムーズに引っ掛けることができ、作業性を向上させることができる。また、表皮材の周縁が無理に曲げられるのを防止することができる。
【発明を実施するための最良の形態】
【００１３】
以下、本発明の構成を図面に示す最良の形態に基づいて詳細に説明する。
【００１４】
図１〜図４に、本発明の椅子の表皮材の留め構造の実施形態の一例を示す。椅子の表皮材の留め構造は、身体支持体１の基板２の支持板部２ａの周縁近傍に設けられた引掛片３を備えている。身体支持体１は、例えば座、背、肘掛け、ヘッドレスト、フットレスト等の着座者の身体を支持するものであり、基板２にクッション材４を重ねて表皮材５で覆った構成となっている。本実施形態では、座を例に説明する。
【００１５】
表皮材５の周縁５ａは基板２の裏側に回り込まされており、紐状部材６によって絞られている。本実施形態では、表皮材５の周縁５ａに筒状部５ｂを設け、筒状部５ｂに紐状部材６を通している。
【００１６】
基板２は身体支持体１の形状を維持するための部材であり、身体支持体１が座の場合は例えばインナーシェル、座板等である。本実施形態の基板２はインナーシェルである。なお、身体支持体１が背の場合は例えば背インナーシェル、背フレーム、芯材等である。基板２の縁部は全周にわたり裏側に曲げられて曲げ部分２ｂとなっている。即ち、身体を支える支持板部２ａの周囲には曲げ部分２ｂが一体成形されている。支持板部２ａは、クッション材４を介して着座者の体重を受ける板状の部分であり、身体支持体１の表側面１ａ即ち身体に接触してこれを支持する面とほぼ平行に配置される板状の部分である。支持板部２ａは単なる平板であっても良いが、着座者の身体を支えるのに適した形状に成形されていても良い。本実施形態の支持板部２ａは着座者の身体を支えるのに適した形状を成しており、座り心地の向上が図られている。本実施形態の支持板部２ａには、強度確保等のためにリブ２ｅが一体成形されている。ただし、リブ２ｅは無くても良い。
【００１７】
引掛片３は、支持板部２ａに切り欠き８を設けることで形成されている。引掛片３は、支持板部２ａの中心から外側に向けて突出しており、クッション材４の表側から基板２の裏側に回り込んだ表皮材５の周縁５ａを引っ掛けることができる。引掛片３は支持板部２ａの厚さＴ内に収まっており、支持板部２ａの裏面２ｃまたは表面２ｄから突出していない。
【００１８】
引掛片３の奥側の面３ａには表皮材５の周縁５ａを絞る紐状部材６が引っ掛かる凸部９が設けられている。本実施形態では、表皮材５の周縁５ａの筒状部５ｂに紐状部材６を通しているので、紐状部材６が筒状部５ｂを介して間接的に凸部９に引っ掛かる。ただし、筒状部５ｂの引掛片３に対向する位置に孔を設け、この孔を通じて紐状部材６を凸部９に直接引っ掛けるようにしても良い。また、凸部９は省略しても良い。
【００１９】
支持板部２ａの切り欠き８の両脇には、表皮材５の周縁５ａを引掛片３の奥側に導く傾斜面１０が形成されている。傾斜面１０は支持板部２ａの裏面２ｃに設けられ、引掛片３に近づくに従って徐々に奥側に沈み込んでいる。本実施形態では、切り欠き８の両脇に傾斜面１０を設けているが、片方の脇にのみ傾斜面１０を設けても良い。また、傾斜面１０を設けなくても良い。
【００２０】
引掛片３は、表皮材５の周縁５ａを全周にわたり支持板部２ａの裏側に留めるのに適した個数設けられている。本実施形態では、引掛片３を６個設けている。ただし、引掛片３の個数は６個に限るものではなく、表皮材５の周縁５ａを全周にわたって浮き上がらせずに留めることができればいくつでも良い。引掛片３は基板２の支持板部２ａの周縁近傍、即ち、基板２の裏側に回り込まされた表皮材５の周縁５ａに対向する位置に設けられている。本実施形態では、支持板部２ａの四隅近傍と、前端縁中央の近傍と、後端縁中央の近傍に引掛片３が設けられている。表皮材５の最も張りにくい部分は身体支持体１の四隅であることから、支持板部２ａの四隅近傍に引掛片３を設けて表皮材５の周縁５ａを留めることが好ましい。また、表皮材５のずれは前後方向に生じやすいことから、支持板部２ａの前後に引掛片３を設けて表皮材５の周縁５ａを留めることが好ましい。ただし、引掛片３を設ける位置はこれらの位置に限るものではない。
【００２１】
本実施形態では、図１に２点鎖線で示すように、基板２の裏側をカバー１１で覆っている。本実施形態の身体支持体１は座であるので、カバー１１は座裏カバーである。カバー１１の周壁１１ａは基板２の曲げ部分２ｂの内側に差し込まれている。カバー１１の周壁１１ａはクッション材４を潰し表皮材５の周縁５ａ近傍を押し退けながら曲げ部分２ｂの内側に深く差し込まれる。ただし、基板２の裏側をカバー１１で覆わなくても良い。
【００２２】
表皮材５の周縁５ａを基板２の支持板部２ａに留める場合には、身体支持体１の裏側で表皮材５の周縁５ａを紐状部材６で絞りつぼめた後、周縁５ａを引掛片３の奥側に滑り込ませて引っ掛ければ良い。表皮材５の周縁５ａを引掛片３に引っ掛けることで支持板部２ａに留めることができ、基板２及びクッション材４に対する表皮材５のずれや回転を防止することができる。引掛片３は支持板部２ａの厚さＴ内に収まっており、支持板部２ａから突出していないので、表皮材５の周縁５ａを支持板部２ａに接触させて又は裏面２ｃの近くで留めることができ、支持板部２ａからの浮き上がりを防止することができる。したがって、カバー１１の周壁１１ａに対して表皮材５の周縁５ａが邪魔にならず、曲げ部分２ｂの内側にカバー１１の周壁１１ａを深く差し込むことができ、カバー１１の取り付けを確実に行うことができると共に、取り付けた状態における座とカバー１１の上下方向の厚みを薄くすることができ、椅子の見た目の悪化を防止することができる。
【００２３】
表皮材５の周縁５ａを引掛片３に引っ掛けると、紐状部材６が凸部９に引っ掛かるので、留めた表皮材５の周縁５ａをより一層外れにくくすることができる。
【００２４】
また、切り欠き８の両脇には傾斜面１０が形成されているので、表皮材５の周縁５ａを部分的になだらかに湾曲させるだけで引掛片３に引っ掛けることができる。そのため、表皮材５の周縁５ａを引掛片３に引っ掛ける作業が容易であり、生産性を向上させることができる。また、表皮材５の周縁５ａを無理に曲げることもないので、表皮材５が傷むのを防止することができる。
【００２５】
なお、上述の形態は本発明の好適な形態の一例ではあるがこれに限定されるものではなく本発明の要旨を逸脱しない範囲において種々変形実施可能である。例えば、上述の説明では、基板２の裏側にカバー１１を取り付けているが、カバー１１を取り付けなくても良い。カバー１１を取り付けない場合であっても、表皮材５の周縁５ａの浮き上がりを防止することで、見た目を良くすることができる。なお、身体支持体１が背の場合はカバー１１は例えばアウターシェルであり、肘掛けの場合はカバー１１は例えば肘掛け裏のカバーであり、ヘッドレストの場合はカバー１１はヘッドレスト裏のカバーであり、フットレストの場合はカバー１１はフットレスト裏のカバーである。
【図面の簡単な説明】
【００２６】
【図１】本発明の椅子の表皮材の留め構造を示し、座に適用した場合の断面図である。
【図２】座の基板を裏面側からみた図である。
【図３】引掛片を基板の表側からみた拡大図である。
【図４】図３のＩＶ−ＩＶ線に沿う基板の断面図である。
【図５】従来の表皮材の留め構造を示す斜視図である。
【符号の説明】
【００２７】
１  身体支持体
２  基板
２ａ  支持板部
３  引掛片
３ａ  引掛片の奥側の面
４  クッション材
５  表皮材
５ａ  表皮材の周縁
６  紐状部材
８  切り欠き
９  凸部
１０  傾斜面
Ｔ  支持板部の厚さ
【図１】
0005259202.tif 000002
【図２】
0005259202.tif 000003
【図３】
0005259202.tif 000004
【図４】
0005259202.tif 000005
【図５】
0005259202.tif 000006